(57)【要約】【課題】蓋本体に収納された物品を取り出す際に、パネル部を飛出し位置に配置することができるパネル付き包装箱を提供する。【解決手段】  パネル付き包装箱１は、箱本体１０の開口部１０Ａを開閉する内蓋体１５を備え、内蓋体１５は、側壁１３に連設された外蓋壁３０と、外蓋壁３０の内面に固定されて内蓋本体１５Ａを構成する内蓋壁３１と、側壁１３の内面にて保持された固定壁と、内蓋壁３１と固定壁とに連設された突出壁３２と、内蓋壁３１の一部を切断して形成されたパネル部３６および連結部３７と、を含み、内蓋本体１５Ａが閉じた状態で、突出壁３２と連結部３７とは同一方向に傾倒し、パネル部３６は内蓋本体１５Ａに接近した折畳み位置に配置され、内蓋本体１５Ａが開口部１０Ａと平行になるまで回動した状態で、突出壁３２と連結部３７とは引き起こされ、パネル部３６は内蓋本体１５Ａから離間した飛出し位置Ｐ２に配置される。【選択図】図６
0003223048.tif 000002
【実用新案登録請求の範囲】
【請求項１】
開口部（１０Ａ）を囲むように複数の側壁（１２，１３）が設けられた箱本体（１０）と、
前記箱本体の前記開口部を開閉する蓋体（１５）と、を備え、
前記蓋体は、
前記開口部の一辺を構成する前記側壁（１３）の端部に連設された外蓋壁（３０）と、
前記外蓋壁の内面に固定されて蓋本体（１５Ａ）を構成する内蓋壁（３１）と、
前記側壁の内面に対向した位置に保持された固定壁（３３）と、
前記内蓋壁と前記固定壁とに連設された突出壁（３２）と、
前記内蓋壁の一部を切断して形成され、前記突出壁に連設されたパネル部（３６，５０）と、
前記内蓋壁の一部を切断して形成され、前記内蓋壁と前記パネル部とを連結する連結部（３７）と、を含み、
前記蓋本体が前記開口部を閉塞した状態において、前記突出壁は前記パネル部を前記蓋本体の先端側に押し出して前記蓋本体に重なるように傾倒し、前記連結部は前記内蓋壁に重なるように前記突出壁と同一方向に傾倒し、前記パネル部は傾倒した前記突出壁と前記連結部とに引き寄せられて前記蓋本体に接近した折畳み位置（Ｐ１）に配置され、
前記蓋本体が前記側壁との境界を軸として前記開口部と平行になるまで回動して前記開口部を開放した状態において、前記突出壁と前記連結部とは傾倒した状態から引き起こされて前記固定壁と平行な姿勢となり、前記パネル部は引き起こされた前記突出壁と前記連結部とに押し出されて前記蓋本体から離間した飛出し位置（Ｐ２）に配置されることを特徴とするパネル付き包装箱。
【請求項２】
前記内蓋壁は、
前記外蓋壁の内面に固定された内蓋面部（３１Ａ）と、
前記内蓋面部と前記突出壁と前記パネル部とで囲まれる範囲に設けられ、正折り線（Ｌ１４）を介して前記突出壁に連設され、逆折り線（Ｌ１３）を介して前記内蓋面部に連設され、切断線（３８）を介して前記パネル部に隣接した補助壁（３１Ｂ）と、を含み、
前記補助壁は、前記正折り線で正折りされ、前記逆折り線で逆折りされて前記突出壁に重ねられたことを特徴とする請求項１に記載のパネル付き包装箱。
【請求項３】
前記内蓋壁は、折返線（Ｌ１２）を介して前記外蓋壁の先端部に連設され、前記折返線で折り返されて前記外蓋壁の内面に固定されたことを特徴とする請求項１または２に記載のパネル付き包装箱。
【考案の詳細な説明】
【技術分野】
【０００１】
本考案は、蓋体を開くとパネルが飛び出すように構成されたパネル付き包装箱に関する。
【背景技術】
【０００２】
特許文献１に記載の表示板付き紙箱は、紙箱本体と、開閉蓋と、中蓋と、を有していた。紙箱本体の背面板の上端には、罫線を介して上蓋と、背景板と、中蓋とが連設されていた。上蓋と背景板とは、裏面同士接着されて開閉蓋を形成していた。中蓋と背景板とに跨って切目が設けられ、この切目によって接着板と引き起こし板が形成されていた。接着板には表示板が接着されており、開閉蓋（背景板）が紙箱本体に対して略直角になるまで開かれると、接着板と引き起こし板とが直角を成し、接着板に接着された表示板が立ち上げられていた。なお、表示板には紙箱本体に収納された物品の情報や広告等が記載され、立ち上がった表示板はＰＯＰ広告（Ｐｏｉｎｔ  ｏｆ  ｐｕｒｃｈａｓｅ  ａｄｖｅｒｔｉｓｉｎｇ）として機能していた。
【先行技術文献】
【特許文献】
【０００３】
【特許文献１】特開２０１４−１８４９６８号公報
【考案の概要】
【考案が解決しようとする課題】
【０００４】
一般的な蓋付きの箱では、蓋を直角に開いた状態で中の物品を取り出そうとすると、蓋が邪魔になることがある。そのため、物品の取り出し易さを考慮すると、蓋は９０度以上（好ましくは１８０度）に開くことが好ましい。
【０００５】
上記した表示板付き紙箱では、開閉蓋を紙箱本体に対して直角以上の角度に開く（回動する）と、接着板や引き起こし板は背景板等と同一平面上に配置されるため、表示板も背景板に重なるように倒れてしまう。従って、上記した表示板付き紙箱では、開閉蓋を９０度以上開くと、表示部を飛び出した位置に保持することができず、ＰＯＰ広告等としての機能を十分に発揮できなかった。
【０００６】
また、上記した表示板付き紙箱では、接着板と引き起こし板とが、中蓋と背景板とに跨って入れられた切目によって構成されるため、背景板の他に中蓋が必ず必要になっていた。したがって、紙箱本体に収納された物品を取り出すには、開閉蓋（背景板）と中蓋の両方を開く必要がある。しかし、中蓋を開くと、表示板は背景板と中蓋との間に隠された状態になるため、表示部のＰＯＰ広告等としての機能が損なわれる。
【０００７】
本考案は、上記課題を解決するために、蓋本体に収納された物品を取り出す際に、パネル部を飛出し位置に配置することができるパネル付き包装箱を提供する。
【課題を解決するための手段】
【０００８】
上記した目的を達成するため、本考案は、開口部を囲むように複数の側壁が設けられた箱本体と、前記箱本体の前記開口部を開閉する蓋体と、を備え、前記蓋体は、前記開口部の一辺を構成する前記側壁の端部に連設された外蓋壁と、前記外蓋壁の内面に固定されて蓋本体を構成する内蓋壁と、前記側壁の内面に対向した位置に保持された固定壁と、前記内蓋壁と前記固定壁とに連設された突出壁と、前記内蓋壁の一部を切断して形成され、前記突出壁に連設されたパネル部と、前記内蓋壁の一部を切断して形成され、前記内蓋壁と前記パネル部とを連結する連結部と、を含み、前記蓋本体が前記開口部を閉塞した状態において、前記突出壁は前記パネル部を前記蓋本体の先端側に押し出して前記蓋本体に重なるように傾倒し、前記連結部は前記内蓋壁に重なるように前記突出壁と同一方向に傾倒し、前記パネル部は傾倒した前記突出壁と前記連結部とに引き寄せられて前記蓋本体に接近した折畳み位置に配置され、前記蓋本体が前記側壁との境界を軸として前記開口部と平行になるまで回動して前記開口部を開放した状態において、前記突出壁と前記連結部とは傾倒した状態から引き起こされて前記固定壁と平行な姿勢となり、前記パネル部は引き起こされた前記突出壁と前記連結部とに押し出されて前記蓋本体から離間した飛出し位置に配置される。
【０００９】
この場合、前記内蓋壁は、前記外蓋壁の内面に固定された内蓋面部と、前記内蓋面部と前記突出壁と前記パネル部とで囲まれる範囲に設けられ、正折り線を介して前記突出壁に連設され、逆折り線を介して前記内蓋面部に連設され、切断線を介して前記パネル部に隣接した補助壁と、を含み、前記補助壁は、前記正折り線で正折りされ、前記逆折り線で逆折りされて前記突出壁に重ねられたことが好ましい。
【００１０】
この場合、前記内蓋壁は、折返線を介して前記外蓋壁の先端部に連設され、前記折返線で折り返されて前記外蓋壁の内面に固定されたことが好ましい。
【考案の効果】
【００１１】
本考案によれば、蓋本体に収納された物品を取り出す際に、パネル部を飛出し位置に配置することができる。
【図面の簡単な説明】
【００１２】
【図１】本考案の一実施形態に係るパネル付き包装箱を示す斜視図である。
【図２】本考案の一実施形態に係るパネル付き包装箱のブランクを示す平面図である。
【図３】本考案の一実施形態に係るパネル付き包装箱（ブランク）であって、内蓋本体および外蓋本体を構成した状態を示す斜視図である。
【図４】本考案の一実施形態に係るパネル付き包装箱であって、パネル部を持ち上げた状態を示す斜視図である。
【図５】本考案の一実施形態に係るパネル付き包装箱であって、側壁を立ち上げた状態を示す斜視図である。
【図６】本考案の一実施形態に係るパネル付き包装箱であって、箱本体を形成した状態を示す斜視図である。
【図７】本考案の一実施形態に係るパネル付き包装箱を封緘する過程を示す斜視図である。
【図８】本考案の一実施形態に係るパネル付き包装箱の内蓋体（内蓋本体）を閉じた状態を示す断面図である。
【図９】本考案の一実施形態に係るパネル付き包装箱の内蓋体（内蓋本体）を略９０度開いた状態を示す断面図である。
【図１０】本考案の一実施形態に係るパネル付き包装箱の内蓋体（内蓋本体）を略１８０度開いた状態を示す断面図である。
【図１１】本考案の一実施形態の変形例に係るパネル付き包装箱のブランクを示す平面図である。
【考案を実施するための形態】
【００１３】
以下、添付の図面を参照しつつ、本考案の実施形態について説明する。なお、図面に示す「Ｆｒ」は「前」を示し、「Ｒｒ」は「後」を示し、「Ｌ」は「左」を示し、「Ｒ」は「右」を示し、「Ｕ」は「上」を示し、「Ｄ」は「下」を示している。また、前後方向は左右方向に直交し、上下方向は前後方向と左右方向とに直交している。本明細書では方向や位置を示す用語を用いるが、それらの用語は説明の便宜のために用いるものであって、本考案の技術的範囲を限定するものではない。また、本明細書において、「平行」またはこれに類する用語は、厳密に平行であることを要求するものではなく、数度の傾き（誤差）を許容する意味である。
【００１４】
［仕切付き収容体の概要］
図１ないし図３を参照して、パネル付き包装箱１の構成について説明する。図１はパネル付き包装箱１を示す斜視図である。図２はパネル付き包装箱１のブランク５を示す平面図である。図３は内蓋本体１５Ａおよび外蓋本体１６Ａを構成した状態を示す斜視図である。
【００１５】
図１に示すように、パネル付き包装箱１は、直方体状に形成された箱本体１０と、箱本体１０の前方上部に連設された内蓋体１５（蓋体）と、箱本体１０の後方上部に連設された外蓋体１６と、を備えている。箱本体１０は、底壁１１と、底壁１１の左右方向の両端部に立設された一対の端壁体１２（側壁）と、底壁１１の前後方向の両端部に立設された一対の側壁１３と、を備えている。内蓋体１５と外蓋体１６とは、開口部１０Ａを開閉するために設けられている。
【００１６】
パネル付き包装箱１は、図２に示すブランク５から組み立てられる。このブランク５は、波状の中しん９Ａの表裏に表ライナ９Ｂと裏ライナ９Ｃ（図３参照）とを貼り合せた両面段ボールシート（紙製）で形成されている。ブランク５は、段ボールシートを抜型等で打ち抜いて形成される。なお、図面では、段ボールシートの表ライナ９Ｂ側を示している。また、図面に示す「Ｘ」は段ボールシートの中しん９Ａが延びた「段方向」を示し、「Ｙ」は段方向に直交した「流れ方向」を示している。
【００１７】
［ブランク］
図２に示すように、パネル付き包装箱１のブランク５は、底壁１１と、一対の端壁体１２と、一対の側壁１３と、４つの外折込壁１４と、内蓋体１５と、外蓋体１６と、を備えている。
【００１８】
＜底壁、端壁体＞
底壁１１は、流れ方向（前後方向）の寸法よりも段方向（左右方向）の寸法が長い略長方形状に形成されている。一対の端壁体１２は、底壁１１の段方向の両端部に連設されている。底壁１１には、一対の端壁体１２との境界（第１箱折曲線Ｌ１）に沿って矩形状の一対の係合穴１１Ａが開口している。なお、一対の端壁体１２は、底壁１１を中心として段方向に対称となる形状であるため、以下、１つの端壁体１２について説明する。
【００１９】
端壁体１２は、外端壁２０と、額縁部２１と、内端壁２２と、を含んでいる。外端壁２０は、第１箱折曲線Ｌ１を介して底壁１１の段方向の端部に連設されている。外端壁２０は略長方形状に形成され、その段方向の寸法（延出寸法）は底壁１１の流れ方向の寸法の半分以下に設定されている。額縁部２１は、第２箱折曲線Ｌ２を介して内端壁２２の段方向の先端部に連設されている。額縁部２１は略長方形状に形成され、その段方向の寸法（延出寸法）は段ボールシート２枚分の厚さ程度に設定されている。内端壁２２は、第２箱折曲線Ｌ２を介して額縁部２１の段方向の先端部に連設されている。つまり、内端壁２２は、平行に延びた２本の第２箱折曲線Ｌ２を介して外端壁２０に連設されている。内端壁２２は、外端壁２０と略同一形状に形成されている。内端壁２２の先端（自由端）には、係合凸部２２Ａが突設されている。
【００２０】
＜側壁、外折込壁＞
一対の側壁１３は、第３箱折曲線Ｌ３を介して底壁１１の流れ方向の両端部に連設されている。各側壁１３は略長方形状に形成され、その段方向の寸法（延出寸法）は外端壁２０の延出寸法と略同一である。４つの外折込壁１４は、第４箱折曲線Ｌ４を介して一対の側壁１３の段方向の両端部に連設されている。各外折込壁１４は、段方向の先端（自由端）に向かって徐々に幅狭くなる略台形状に形成されている。各外折込壁１４の段方向の寸法（延出寸法）は、底壁１１の流れ方向の寸法の半分以下に設定されている。
【００２１】
＜内蓋体＞
内蓋体１５は、外蓋壁３０と、内蓋壁３１と、突出壁３２と、固定壁３３と、突当片３４と、一対の内折込壁３５と、パネル部３６と、連結部３７と、を含んでいる。
【００２２】
（外蓋壁）
外蓋壁３０は、第１内蓋折曲線Ｌ１１を介して一方（前方）の側壁１３の先端部（上端部）に連設されている。外蓋壁３０は、底壁１１よりも小さな略長方形状に形成されている。詳細には、外蓋壁３０の段方向の寸法は、底壁１１の段方向の寸法よりも僅かに短く設定されている。外蓋壁３０の流れ方向の寸法は、底壁１１の流れ方向の寸法よりも２０％程度短く設定されている。なお、外蓋壁３０の基端側（側壁１３側）の段方向の両端には一対の蓋凸部３０Ａが突設されている。そのため、一対の蓋凸部３０Ａを除いた外蓋壁３０の段方向の両端には一対の差込凹部３０Ｂが相対的に凹設されている。
【００２３】
（内蓋壁）
内蓋壁３１は、外蓋壁３０の先端部に連設されている。内蓋壁３１は、内蓋面部３１Ａと、補助壁３１Ｂと、を含んでいる。
【００２４】
内蓋面部３１Ａは、第２内蓋折曲線Ｌ１２を介して外蓋壁３０の先端部に連設されている。内蓋面部３１Ａは、概ね外蓋壁３０と同じ大きさとなる略長方形状に形成されている。
【００２５】
補助壁３１Ｂは、第３内蓋折曲線Ｌ１３を介して内蓋面部３１Ａの先端部に連設されている。補助壁３１Ｂの流れ方向の寸法（延出寸法）は、内蓋面部３１Ａの流れ方向の寸法よりも十分に短く（具体的には、後述するパネル部３６の飛び出し量と同等）設定されている。詳細は後述するが、内蓋壁３１の先端側には、略Ｌ字状の切断線３８によってパネル部３６が区画されている。切断線３８（パネル部３６）は、内蓋壁３１の段方向の一方（左側）にて内蓋面部３１Ａから補助壁３１Ｂにわたって形成されている。したがって、補助壁３１Ｂは、切断線３８を介してパネル部３６の段方向の他方（右側）に隣接して設けられている。なお、補助壁３１Ｂの段方向の寸法は、内蓋面部３１Ａの段方向の寸法の半分よりも短く設定されている。また、パネル部３６には第３内蓋折曲線Ｌ１３は形成されていない。
【００２６】
（突出壁）
突出壁３２は、第４内蓋折曲線Ｌ１４を介して内蓋壁３１の先端部に連設されている。正確には、突出壁３２は、第４内蓋折曲線Ｌ１４を介して補助壁３１Ｂとパネル部３６とに連設されている。したがって、上記した補助壁３１Ｂは、内蓋面部３１Ａと突出壁３２とパネル部３６とで囲まれる範囲に設けられている。突出壁３２は、流れ方向の先端に向かって徐々に幅広くなる略台形状に形成されている。突出壁３２の流れ方向の寸法（延出寸法）は、補助壁３１Ｂの延出寸法と略同一である。
【００２７】
（固定壁）
固定壁３３は、第５内蓋折曲線Ｌ１５を介して突出壁３２の先端部に連設されている。固定壁３３は、側壁１３と略同一形状に形成されている。
【００２８】
（突当片）
突当片３４は、第６内蓋折曲線Ｌ１６を介して固定壁３３の先端部に連設されている。突当片３４は、流れ方向の先端（自由端）に向かって徐々に幅狭くなる略台形状に形成されている。突当片３４の流れ方向の寸法（延出寸法）は、突出壁３２の延出寸法と略同一である。
【００２９】
（内折込壁）
一対の内折込壁３５は、第７内蓋折曲線Ｌ１７を介して固定壁３３の段方向の両端部に連設されている。各内折込壁３５は、段方向の先端（自由端）に向かって徐々に幅狭くなる略台形状に形成されている。各内折込壁３５は、外折込壁１４よりも一回り小さく形成されている。
【００３０】
（パネル部）
パネル部３６は、略Ｌ字状に形成された切断線３８に沿って内蓋壁３１の一部を切断して形成されている。パネル部３６は、第４内蓋折曲線Ｌ１４を介して突出壁３２に連設されている。切断線３８は、第４内蓋折曲線Ｌ１４から第３内蓋折曲線Ｌ１３を横断して内蓋面部３１Ａの中央付近まで延設された後、段方向の一方に湾曲し、内蓋面部３１Ａの段方向の一端まで延設されている。このため、パネル部３６は、１つの角を丸められた略長方形状に形成されている。
【００３１】
（連結部）
連結部３７は、一対の切断線３９に沿って内蓋壁３１（内蓋面部３１Ａ）の一部を切断して形成されている。一対の切断線３９は、段方向に延びた切断線３８の一部を外蓋壁３０に向けて略直角に折り曲げられて構成されている。連結部３７は、切断線３８を途中で分断するようにパネル部３６から外蓋壁３０に向かって突設され、内蓋壁３１（内蓋面部３１Ａ）とパネル部３６とを連結している。連結部３７は、第１連結折曲線Ｌ２１を介してパネル部３６に連設され、第２連結折曲線Ｌ２２を介して内蓋面部３１Ａに連設されている。
【００３２】
＜外蓋体＞
外蓋体１６は、表面壁４０と、裏面壁４１と、一対の差込片４２と、を含んでいる。
【００３３】
表面壁４０は、第１外蓋折曲線Ｌ３１を介して他方（後方）の側壁１３の先端部（上端部）に連設されている。表面壁４０は、外蓋壁３０よりも僅かに大きな略長方形状に形成されている。裏面壁４１は、第２外蓋折曲線Ｌ３２を介して表面壁４０の先端部に連設されている。裏面壁４１は、表面壁４０よりも僅かに小さな略長方形状に形成されている。一対の差込片４２は、第３外蓋折曲線Ｌ３３を介して裏面壁４１の段方向の両端部に連設されている。各差込片４２は、表面壁４０の角部が丸められた略長方形状に形成されている。
【００３４】
なお、第１〜第４箱折曲線Ｌ１〜Ｌ４は、段ボールシートを裏ライナ９Ｃ側から厚み方向に直線状に潰した汎用罫線である。また、第１内蓋折曲線Ｌ１１、第２内蓋折曲線Ｌ１２、第４内蓋折曲線Ｌ１４、第７内蓋折曲線Ｌ１７、第１連結折曲線Ｌ２１、第１外蓋折曲線Ｌ３１および第２外蓋折曲線Ｌ３２も汎用罫線である。汎用罫線は、裏ライナ９Ｃを内側に向けるように段ボールシートを折曲させる（正折りする）機能を有している。第３内蓋折曲線Ｌ１３、第５内蓋折曲線Ｌ１５、第６内蓋折曲線Ｌ１６および第３外蓋折曲線Ｌ３３は、段ボールシートを表ライナ９Ｂ側から厚み方向に直線状に潰した逆罫線である。第２連結折曲線Ｌ２２は、汎用罫線上に切目を入れて構成されている。逆罫線や第２連結折曲線Ｌ２２は、表ライナ９Ｂを内側に向けるように段ボールシートを折曲させる（逆折りする）機能を有している。上記した第１〜第４箱折曲線Ｌ１〜Ｌ４等は、汎用罫線や逆罫線等に限らず、切目を所定間隔で並べたミシン刃線や罫線上に切目を入れたリード罫線等、段ボールシートを折り曲げるための線であれば如何なるものでもよい。
【００３５】
図３に示すように、パネル付き包装箱１のブランク５において、内蓋壁３１は、外蓋壁３０の内面に固定（接着）されて二重壁構造を成す内蓋本体１５Ａ（蓋本体）を構成する。具体的には、パネル部３６や連結部３７を避けた内蓋本体１５Ａの内面（裏ライナ９Ｃ）に接着剤が塗布され、内蓋体１５（内蓋面部３１Ａ）は、第２内蓋折曲線Ｌ１２で内側に折り返されて外蓋壁３０の内面に接着される。この状態で、パネル部３６の一部、補助壁３１Ｂ、突出壁３２および固定壁３３の一部は側壁１３の内面に重なり、固定壁３３の他の部分および突当片３４は底壁１１の内面に重なる。また、第３内蓋折曲線Ｌ１３は、第１内蓋折曲線Ｌ１１と略一致して重なっている。さらに、各内折込壁３５は、外折込壁１４の内面に重なっている。一方で、裏面壁４１は、第２外蓋折曲線Ｌ３２で折り返されて表面壁４０の内面に固定（接着）されて二重壁構造を成す外蓋本体１６Ａを構成する。なお、各壁３０，３１，４０，４１の接着には、接着剤に代えて、両面テープ等が用いられてもよい。
【００３６】
また、ブランク５の表ライナ９Ｂには、文字や絵柄等が印刷されている（図示せず）。内蓋本体１５Ａと外蓋本体１６Ａとの表裏両面には表ライナ９Ｂが表れるため、箱本体１０の表面に加えて内蓋本体１５Ａと外蓋本体１６Ａとの両面も印刷面とすることができる。また、パネル部３６には、パネル付き包装箱１に収納される物品の情報や広告等が印刷されている。
【００３７】
［パネル付き包装箱の組立および封緘］
次に、図１、図３ないし図７を参照して、パネル付き包装箱１を組み立てる手順および封緘手順について説明する。図４はパネル部３６を持ち上げた状態を示す斜視図である。図５は側壁１３を立ち上げた状態を示す斜視図である。図６は箱本体１０を形成した状態を示す斜視図である。図７はパネル付き包装箱１を封緘する過程を示す斜視図である。
【００３８】
パネル付き包装箱１は、裏ライナ９Ｃを上方に向けたブランク５（図３参照）を適宜折り曲げることで組み立てられる。なお、ここでは、一例として、作業者がパネル付き包装箱１を組み立てる場合について説明する。
【００３９】
図４に示すように、作業者は、補助壁３１Ｂを第３内蓋折曲線Ｌ１３で逆折りし、且つ突出壁３２を第５内蓋折曲線Ｌ１５で逆折りしながら、補助壁３１Ｂと突出壁３２とを第４内蓋折曲線Ｌ１４で正折りする。また、作業者は、パネル部３６を第４内蓋折曲線Ｌ１４で正折りし、且つ連結部３７を第１連結折曲線Ｌ２１で正折りしながら第２連結折曲線Ｌ２２で逆折りする。すると、固定壁３３の全体が側壁１３に重なる位置にスライドし、補助壁３１Ｂと突出壁３２とは、内面（裏ライナ９Ｃ）同士を対向させ、側壁１３や外蓋壁３０に対して立設される。また、連結部３７は内蓋面部３１Ａに対して立設され、パネル部３６は立ち上げられた突出壁３２と連結部３７とによって外蓋壁３０から離間した位置に持ち上げられる。
【００４０】
図５に示すように、作業者は、一対の側壁１３を第３箱折曲線Ｌ３に沿って上方に折り曲げて起立させる。前方の側壁１３が底壁１１に対して起立した状態では、固定壁３３は側壁１３に重ねられ、突当片３４は第６内蓋折曲線Ｌ１６で逆折りされて底壁１１に重ねられている（図１０等参照）。続いて、作業者は、４つの外折込壁１４を第４箱折曲線Ｌ４に沿って内側に折り曲げる。前方の外折込壁１４の内面には内折込壁３５が重なっているため、外折込壁１４を折り曲げに伴って、内折込壁３５は第７内蓋折曲線Ｌ１７に沿って折れ曲がる。
【００４１】
次に、図６に示すように、作業者は、一対の外端壁２０を第１箱折曲線Ｌ１に沿って上方に折り曲げ、一対の額縁部２１を第２箱折曲線Ｌ２に沿って内側に折り曲げ、一対の内端壁２２を第２箱折曲線Ｌ２に沿って下方に折り曲げる。すると、二重壁構造を成す端壁体１２が構成され、外折込壁１４（または外折込壁１４と内折込壁３５）が端壁体１２に包み込まれる。以上によって、底壁１１の周縁部に一対の端壁体１２と一対の側壁１３とが立設され、上端面に開口部１０Ａを有する箱本体１０が構成される。
【００４２】
なお、一対の内端壁２２の係合凸部２２Ａは、底壁１１に開口した一対の係合穴１１Ａに嵌り込んでいる。これにより、各端壁体１２が二重壁構造に保持される。また、一対の内端壁２２の前後両端は側壁１３や固定壁３３に当接し、一対の内端壁２２の下端（先端）は突当片３４に当接している（図１０等参照）。これにより、固定壁３３が、開口部１０Ａの一辺を構成する側壁１３の内面に対向した位置に保持される。つまり、固定壁３３が移動不能な状態で設けられる。
【００４３】
以上によって、パネル付き包装箱１の組み立てが完了する。なお、一対の端壁体１２と一対の側壁１３とは、開口部１０Ａを囲むように底壁１１の周縁部に立設されている。また、内蓋本体１５Ａおよび外蓋本体１６Ａは開かれており、箱本体１０の開口部１０Ａは開放されている（図６参照）。
【００４４】
次に、作業者は、箱本体１０の内部に物品を収納する。その後、作業者は、内蓋本体１５Ａおよび外蓋本体１６Ａを閉じて開口部１０Ａを閉塞する（封緘作業）。
【００４５】
図７に示すように、作業者は、内蓋本体１５Ａ（外蓋壁３０）を第１内蓋折曲線Ｌ１１に沿って内側に折り曲げ、開口部１０Ａの後部を除く範囲を閉塞する。次に、作業者は、一対の差込片４２を第３外蓋折曲線Ｌ３３で内側に折り曲げ、外蓋本体１６Ａ（表面壁４０）を第１外蓋折曲線Ｌ３１に沿って内側に折り曲げる。作業者は、一対の差込片４２の先端部を外蓋壁３０の一対の差込凹部３０Ｂに差し込みながら外蓋本体１６Ａを折り曲げる。図１に示すように、外蓋本体１６Ａは、内蓋本体１５Ａ（外蓋壁３０）の上側に重なると共に内蓋本体１５Ａで塞がれていない開口部１０Ａの後部を閉塞する。
【００４６】
以上によって、パネル付き包装箱１の封緘が完了する（図１参照）。
【００４７】
［内蓋体の作用］
次に、図６、図８ないし図１０を参照して、内蓋体１５（内蓋本体１５Ａ）の開閉作用、具体的にはパネル部３６の飛び出し作用について説明する。図８は内蓋体１５（内蓋本体１５Ａ）を閉じた状態を示す断面図である。図９は内蓋体１５（内蓋本体１５Ａ）を略９０度開いた状態を示す断面図である。図１０は内蓋体１５（内蓋本体１５Ａ）を略１８０度開いた状態を示す断面図である。なお、外蓋体１６（外蓋本体１６Ａ）は、開口部１０Ａを塞いだ状態（閉状態）から外側に１８０度開かれた開状態になっているものとする。
【００４８】
図８ないし図１０に示すように、パネル付き包装箱１を組み立てた状態において、突出壁３２、連結部３７、パネル部３６および内蓋本体１５Ａは、いわゆる四節リンク機構（平行クランク機構）を構成する。このため、突出壁３２、連結部３７およびパネル部３６は、内蓋本体１５Ａの開閉動作に連動して動作する。
【００４９】
＜内蓋本体が閉じた状態＞
まず、図８に示すように、パネル付き包装箱１が封緘された状態、つまり、内蓋本体１５Ａが開口部１０Ａを閉塞した状態（閉状態）について説明する。閉状態において、突出壁３２はパネル部３６を内蓋本体１５Ａの先端側に押し出して内蓋本体１５Ａに重なるように傾倒し、連結部３７は内蓋壁３１に重なるように突出壁３２と同一方向に傾倒している。また、パネル部３６は、傾倒した突出壁３２と連結部３７とによって内蓋本体１５Ａに重なるように引き寄せられ、内蓋本体１５Ａに接近した折畳み位置Ｐ１に配置されている。なお、連結部３７は内蓋壁３１（内蓋面部３１Ａ）とパネル部３６との間に挟み込まれている。また、補助壁３１Ｂは、第４内蓋折曲線Ｌ１４で山折りされ、第３内蓋折曲線Ｌ１３で谷折りされて突出壁３２に重ねられているため、突出壁３２と共に傾倒し、閉状態の内蓋本体１５Ａ（内蓋面部３１Ａ）に対向している。
【００５０】
＜内蓋本体を開く過程＞
次に、ユーザが、内蓋本体１５Ａの先端部を掴んで外側に開き、開口部１０Ａを開放する過程（閉状態から開状態になる過程）について説明する。
【００５１】
図８および図９に示すように、内蓋本体１５Ａ（外蓋壁３０）が第１内蓋折曲線Ｌ１１を軸として開方向（図８および図９で反時計回り）に回動し始めると、突出壁３２および補助壁３１Ｂは第３および第５内蓋折曲線Ｌ１３，Ｌ１５を軸として開方向に回動し始め、徐々に引き起こされて行く。ここで、固定壁３３には上方に引っ張られる力が作用するが、固定壁３３は移動不能であるため、突出壁３２は、固定壁３３からの反力（下方に引っ張る力）を受けて、内蓋本体１５Ａから徐々に離間する。これと同様に、突出壁３２に連設された補助壁３１Ｂも、内蓋本体１５Ａから徐々に離間する。また、突出壁３２に作用する力は、パネル部３６や連結部３７にも伝達されるため、パネル部３６は、内蓋本体１５Ａの基端側に引っ張られ、内蓋本体１５Ａ（主に外蓋壁３０）に対して略平行な姿勢を維持しながら離間する。また、連結部３７は、突出壁３２と同様に、引き起こされて内蓋面部３１Ａから徐々に離間する。
【００５２】
図９に示すように、側面から見て、内蓋本体１５Ａが側壁１３と略同一直線上に配置されると（略９０度回転すると）、内蓋本体１５Ａとパネル部３６と突出壁３２と連結部３７とは略平行四辺形を成す。
【００５３】
図１０に示すように、内蓋本体１５Ａが開口部１０Ａ（開口面）と平行になるまで開かれる（略１８０度回動する）と、突出壁３２は固定壁３３と略同一平面を成し、固定壁３３の上端から上方に延設される。補助壁３１Ｂと連結部３７とは、内蓋壁３１に対して略直立する。すなわち、突出壁３２と連結部３７と補助壁３１Ｂとは、傾倒した状態から引き起こされて固定壁３３と平行な姿勢になる。パネル部３６は、引き起こされた突出壁３２と連結部３７とに押し出されて内蓋本体１５Ａから（最も）離間した飛出し位置Ｐ２に配置される。つまり、パネル部３６は、内蓋本体１５Ａから上方に飛び出した状態になる。
【００５４】
そして、ユーザは、開放された開口部１０Ａ（図６も参照）を通じて箱本体１０に収納された物品を取り出す。この際、パネル部３６は内蓋本体１５Ａから飛び出して目立つように配置されているため、ユーザはパネル部３６に印刷された広告等の情報に注目し易くなる。
【００５５】
＜内蓋本体を閉じる過程＞
次に、内蓋本体１５Ａが開口部１０Ａを閉塞する過程（開状態から閉状態になる過程）について説明する。
【００５６】
内蓋本体１５Ａが第１内蓋折曲線Ｌ１１を軸にとして閉方向（図１０で時計回り）に回動すると、突出壁３２および補助壁３１Ｂは第３および第５内蓋折曲線Ｌ１３，Ｌ１５を軸として閉方向に回動する。ここで、固定壁３３には下方に押し込まれる力が作用するが、固定壁３３は移動不能であるため、図９に示すように、突出壁３２および補助壁３１Ｂは、固定壁３３からの反力（上方に押し出す力）を受けて徐々に押し倒され、内蓋本体１５Ａに徐々に接近する。また、パネル部３６は、内蓋本体１５Ａの先端側に押し出され、内蓋本体１５Ａに対して略平行な姿勢を維持しながら接近する。また、連結部３７は、突出壁３２と同様に、押し倒されて内蓋面部３１Ａに徐々に接近する。そして、図８に示すように、内蓋本体１５Ａが開口部１０Ａを閉塞した状態（閉状態）になると、突出壁３２および補助壁３１Ｂは内蓋本体１５Ａに重なるように傾倒し、連結部３７は内蓋面部３１Ａに重なるように傾倒し、パネル部３６は折畳み位置Ｐ１に配置される。
【００５７】
以上説明した本実施形態に係るパネル付き包装箱１では、内蓋本体１５Ａが外蓋壁３０と内蓋壁３１とで二重壁を構成し、パネル部３６は内蓋壁３１の一部を切断することで形成され、固定壁３３が側壁１３の内面に対向した位置に移動不能に設けられていた。また、パネル部３６は、突出壁３２を介して固定壁３３に連設され、連結部３７を介して内蓋壁３１に連設されていた。この構成によれば、閉じた内蓋本体１５Ａが開かれる過程において、突出壁３２とパネル部３６と連結部３７とには固定壁３３の側に引っ張る力が働くため、突出壁３２と連結部３７とを引き起こすことができ、パネル部３６を内蓋本体１５Ａから離れるように押し出すことができる。また、内蓋本体１５Ａが開口部１０Ａと平行になるまで開かれると、突出壁３２と連結部３７とは内蓋本体１５Ａに対して略直角に起立した姿勢となるため、パネル部３６を内蓋本体１５Ａから最も引き離した飛出し位置Ｐ２に配置することができる。これにより、内蓋本体１５Ａを１８０度開いて、内蓋本体１５Ａに収納された物品を取り出し易くした状態で、パネル部３６を飛出し位置Ｐ２に配置することができる。
【００５８】
また、パネル部３６や連結部３７は内蓋壁３１の一部で構成され、突出壁３２は内蓋本体１５Ａに連動して回動するため、内蓋本体１５Ａを開くことで、箱本体１０の開口部１０Ａを開放することができる。したがって、パネル部３６等を形成するために、内蓋本体１５Ａの内側に別の中蓋等を設ける必要が無く、この中蓋が開かれることでパネル部３６が隠れることもない。これにより、箱本体１０に収納された物品を取り出す際に、パネル部３６を飛出し位置Ｐ２に配置することができ、ユーザの目線をパネル部３６に誘導することができる。
【００５９】
また、本実施形態に係るパネル付き包装箱１によれば、内蓋本体１５Ａを開き、パネル部３６を折畳み位置Ｐ１に配置した状態で、補助壁３１Ｂが内蓋面部３１Ａから立ち上げられているため、パネル部３６が内蓋面部３１Ａから飛び出した印象を強めることができる。これにより、パネル部３６が目に付き易いようにすることができる。
【００６０】
また、本実施形態に係るパネル付き包装箱１によれば、外蓋壁３０が箱本体１０の側壁１３に連設され、内蓋壁３１が外蓋壁３０に連設されているため、箱本体１０と内蓋体１５とを１枚のブランク５で形成することができる。これにより、箱本体１０と内蓋壁３１とを別々に製造したり保管したりする必要がなくなるため、パネル付き包装箱１（ブランク５）の製造等に係る管理を容易化することができる。また、仮に内蓋壁３１が外蓋壁３０から分離した場合、内蓋壁３１の向きや位置を合わせて外蓋壁３０に固定しなければならないが、本実施形態に係るパネル付き包装箱１によれば、内蓋壁３１を折り返して外蓋壁３０に固定することができるため、蓋本体の組み立てに係る手間を軽減することができる。
【００６１】
［変形例］
以上説明した本実施形態に係るパネル付き包装箱１では、パネル部３６が内蓋壁３１の段方向の一方（左側）に形成されていたが、本考案はこれに限定されない。例えば、変形例に係るパネル付き包装箱１（ブランク６）として、図１１に示すように、補助壁３１Ｂや第３内蓋折曲線Ｌ１３を省略（削除）し、パネル部５０が内蓋壁３１の段方向全域に形成されてもよい。この場合、内蓋壁３１の段方向の両端から内側に向かって一対の切断線３８が延設され、一対の切断線３８の間に連結部３７が設けられる。この変形例に係るパネル付き包装箱１によれば、パネル部５０を広く確保することができる。
【００６２】
なお、本実施形態（変形例を含む。以下同じ。）に係るパネル付き包装箱１では、表ライナ９Ｂ（パネル部３６，５０）に情報が印刷されていたが、これに限らず、情報が印刷されたシート（図示せず）が表ライナ９Ｂ（パネル部３６，５０）に貼付されてもよい。
【００６３】
また、本実施形態に係るパネル付き包装箱１では、内蓋体１５にパネル部３６が飛び出す構造を設けていたが、これに限らず、パネル部３６が飛び出す構造は、内蓋体１５に代えて、外蓋体１６に設けられてもよい（図示せず）。また、パネル部３６が飛び出す構造は、内蓋体１５と外蓋体１６との両方に設けられてもよい（図示せず）。
【００６４】
また、本実施形態に係るパネル付き包装箱１では、外蓋体１６（外蓋本体１６Ａ）を内蓋体１５（内蓋本体１５Ａ）にオーバーラップさせて開口部１０Ａの全体を閉塞していたが、本考案はこれに限定されない。例えば、外蓋体１６を省略（削除）して、内蓋体１５のみで開口部１０Ａを閉塞するように構成されてもよい（図示せず）。つまり、内蓋体１５（内蓋本体１５Ａ）が開口部１０Ａの全体を閉塞する大きさに形成されてもよい。
【００６５】
また、本実施形態に係るパネル付き包装箱１では、内蓋壁３１が外蓋壁３０に連設されていたが、本考案はこれに限定されない。例えば、内蓋壁３１、突出壁３２および固定壁３３等が、外蓋壁３０（箱本体１０）とは別部材で構成され（図示せず）、内蓋壁３１が外蓋壁３０に接着されてもよい。
【００６６】
また、本実施形態に係るパネル付き包装箱１では、固定壁３３が、端壁体１２の内端壁２２に押えられて側壁１３の内面に対向した位置に保持されていたが、本考案はこれに限定されない。例えば、固定壁３３は側壁１３に接着されてもよい。この場合、突当片３４は省略（削除）されてもよい。また、他にも、固定壁３３を側壁１３に接着せず、突当片３４を底壁１１に接着してもよい。
【００６７】
また、本実施形態に係るパネル付き包装箱１では、箱本体１０が略直方体状に形成されていたが、これに限らず、例えば、箱本体１０の４隅を面取りして略八角柱状に形成されてもよい（図示せず）。この場合、外蓋体１６や内蓋体１５も、箱本体１０の平面形状（開口部１０Ａの形状）に合わせて形状変更することが好ましい。
【００６８】
なお、上記実施形態の説明は、本考案に係るパネル付き包装箱における一態様を示すものであって、本考案の技術範囲は、上記実施形態に限定されるものではない。
【符号の説明】
【００６９】
１          パネル付き包装箱
１０        箱本体
１０Ａ      開口部
１２        端壁体（側壁）
１３        側壁
１５        内蓋体（蓋体）
１５Ａ      内蓋本体（蓋本体）
３０        外蓋壁
３１        内蓋壁
３１Ａ      内蓋面部
３１Ｂ      補助壁
３２        突出壁
３３        固定壁
３６，５０  パネル部
３７        連結部
３８        切断線
Ｌ１２      第２内蓋折曲線（折返線）
Ｌ１３      第３内蓋折曲線（逆折り線）
Ｌ１４      第４内蓋折曲線（正折り線）
Ｐ１        折畳み位置
Ｐ２        飛出し位置
【図１】
0003223048.tif 000003
【図２】
0003223048.tif 000004
【図３】
0003223048.tif 000005
【図４】
0003223048.tif 000006
【図５】
0003223048.tif 000007
【図６】
0003223048.tif 000008
【図７】
0003223048.tif 000009
【図８】
0003223048.tif 000010
【図９】
0003223048.tif 000011
【図１０】
0003223048.tif 000012
【図１１】
0003223048.tif 000013